【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
１本又はそれ以上の支柱又はパイル（４）を湖、海又は川の底により形成されている支持面（３）に直立した状態で設置する方法であって、
設置しようとする支柱又はパイル（４）を支持船（１）から降下させて前記支持面（３）と接触させる段階と、
前記支柱又はパイル（４）の下方又は足端（１９）をドリルとして用い、前記支柱又はパイル（４）の回転により穴（１７）を前記支持面（３）に形成し、前記穴（７）の中に前記支柱又はパイル（４）の下方部分を設置する段階と、
この穴あけ作業の完了の後に前記支持面（３）に形成した前記穴（１７）の現場に前記支柱又はパイル（４）を残しておく段階とを含む方法。
【請求項２】
請求項１記載の方法において、
フレキシブルなアンビリカル（１５，１６）によって前記支持船（１）から得られる圧縮空気の流れを用いることにより穴あけ切削岩くずが前記支柱又はパイル（４）の頭部から水中に放出されるようにする逆進流体循環を、前記穴あけ作業中に使用する段階を含む、方法。
【請求項３】
請求項１記載の方法において、
フレキシブルなアンビリカル（１５，１６）によって前記支持船（１）から供給される流体の流れを用いることにより穴あけ切削岩くずが穴あけが行われている水の底（３）における水中に放出されるようにする前進流体循環を、前記穴あけ作業中に使用する段階を含む、方法。
【請求項４】
請求項１〜３のいずれか１項に記載の方法において、
前記支持面（３）に植設しようとする１本又はそれ以上の前記支柱又はパイル（４）を設置するための水沈可能な穴あけ機（８）を用いる段階と、
前記穴あけ機（８）が前記支持面（３）上に置かれるように前記穴あけ機（８）を前記水上支持船（１）から配置する段階と、
前記穴あけ機（８）へ動力を供給すると共に前記穴あけ機（８）の作動を制御する１本又はそれ以上のアンビリカル（１５，１６）によって１つ又はそれ以上の穴あけ機構を前記支持船（１）から遠隔操作する段階と、
所要の穴あけ作業に続いて前記穴あけ機（８）を前記支持船（１）により回収し、前記支持面（３）から直立する１本又はそれ以上の前記支柱又はパイル（４）を残す段階とを含む、方法。
【請求項５】
１本又はそれ以上の基礎支柱又はパイル（４）を湖、川又は海の底（３）に設置する装置において、
１つ又はそれ以上の穴あけ機構（２０）を有する水沈可能な穴あけ機（８）であって、水上支持船（１）を用いて配置することができ、前記湖、川又は海の底（３）による十分な支持を受けられるように前記湖、川又は海の底（３）に置くことができる、穴あけ機（８）と、
前記穴あけ機（８）へ動力を供給すると共に前記穴あけ機（８）を制御する１本又はそれ以上のフレキシブルなアンビリカル（１５，１６）によって、前記１つ又はそれ以上の穴あけ機構（２０）を前記水上支持船（１）から遠隔操作する手段と、
所要の穴あけ作業に続いて前記穴あけ機（８）を前記水上支持船（１）により回収し、前記湖、川又は海の底（３）から直立する前記１本又はそれ以上の基礎支柱又はパイル（４）を残すことを可能にする手段（１３）とを含むことを特徴とする装置。
【請求項６】
請求項５記載の装置において、
前記穴あけ機（８）は、前記穴あけ機構（２０）が前記支持面（３）に垂直穴を作ることができるように前記穴あけ機（８）を水平にするように、前記穴あけ機（８）の作業位置を前記支持面（３）に対して位置調節可能とする、テレスコピックレッグ又は関節部材（１０，１１）を有することを特徴とする装置。
【請求項７】
請求項５又は６記載の装置において、
前記穴あけ機（８）が位置調節アクチュエータを有することを特徴とする装置。
【請求項８】
請求項７記載の装置において、
前記位置調節アクチュエータが少なくとも液圧シリンダ、空気圧シリンダ、バッグ又はブラダーを含むことを特徴とする装置。
【請求項９】
請求項５〜８のいずれか１項に記載の装置において、
設置しようとする前記基礎支柱又はパイル（４）が円筒形であって、その下方又は足端に岩又は土カッタ（１９）を有し、この基礎支柱又はパイル（４）がその長手方向軸線を中心に回転することにより、当該基礎支柱又はパイル（４）が回転ドリルとして働き、
前記穴あけ機（８）は、穴あけ作業を行うために前記基礎支柱又はパイル（４）を回転させる手段を前記穴あけ機構（２０）に有することを特徴とする装置。
【請求項１０】
請求項５〜９のいずれか１項に記載の装置において、
前記穴あけ機（８）が、前記穴あけ機（８）を全体として移動させることなしに、その前記穴あけ機構（２０）を現在の穴あけ作業の位置から次に続く穴あけ作業の位置へ位置スライドさせることを可能とする手段を有し、これにより、前記穴あけ機（８）の全体を移動させることなしに、前記基礎支柱又はパイル（４）の予め決めた配列を確立することができるようにしてあることを特徴とする装置。
【請求項１１】
請求項５〜１０のいずれか１項に記載の装置において、
前記穴あけ機（８）は、前記水上支持船（１）に回収可能で、この穴あけ機に他の基礎支柱又はパイルを装備して該穴あけ機の異なる位置へ戻すことができ、これにより、前記穴あけ機（８）の全体を移動させることなしに、複数本の基礎支柱又はパイルを予め決めた配列で設置できるようになっていることを特徴とする装置。
【請求項１２】
請求項５〜１１のいずれか１項に記載の装置において、
前記穴あけ機（８）に複数の穴あけ機構（２０）が設けられ、これにより、基礎支柱又はパイル（４）の予め決めた配列の穴あけが行われることを特徴とする装置。
【請求項１３】
請求項５〜１２のいずれか１項に記載の装置において、
前記穴あけ機（８）が、該穴あけ機（８）の付近における水の流れを利用して、前記穴あけ機（８）を前記湖、川又は海の底（３）上に保持する重力を助ける正味力を作り出す手段（２８）を有することを特徴とする装置。
【請求項１４】
請求項１３記載の装置において、
前記手段（２８）が水中翼を備えることを特徴とする装置。
【手続補正２】
【補正対象書類名】明細書
【補正対象項目名】０００７
【補正方法】変更
【補正の内容】
【０００７】
本発明の第１の態様によれば、１本又はそれ以上の支柱又はパイルを湖、海又は川の底により形成されている支持面に直立した状態で設置する方法として、設置しようとする支柱又はパイルを支持船から降下させて前記支持面と接触させる段階と、前記支柱又はパイルの下方又は足端をドリルとして用い、前記支柱又はパイルの回転により穴を前記支持面に形成し、前記穴の中に前記支柱又はパイルの下方部分を設置する段階と、この穴あけ作業の完了の後に前記支持面に形成した前記穴の現場に前記支柱又はパイルを残しておく段階とを含む方法が提供される。
【手続補正３】
【補正対象書類名】明細書
【補正対象項目名】０００８
【補正方法】変更
【補正の内容】
【０００８】
必要に応じて、フレキシブルなアンビリカルによって前記支持船から得られる圧縮空気の流れを用いることにより穴あけ切削岩くずが前記支柱又はパイルの頭部から水中に放出されるようにする逆進流体循環を、穴あけ作業中に行うことができる。
【手続補正４】
【補正対象書類名】明細書
【補正対象項目名】０００９
【補正方法】変更
【補正の内容】
【０００９】
また、必要に応じて、フレキシブルなアンビリカルによって前記支持船から供給される流体の流れを用いることにより穴あけ切削岩くずが穴あけが行われている水の底における水中に放出されるようにする前進流体循環を、穴あけ作業中に行うことができる。
【手続補正５】
【補正対象書類名】明細書
【補正対象項目名】００１１
【補正方法】変更
【補正の内容】
【００１１】
本発明の第２の態様によれば、１本又はそれ以上の基礎支柱又はパイルを湖、川又は海の底に設置する装置において、１つ又はそれ以上の穴あけ機構を有する水沈可能な穴あけ機であって、水上支持船を用いて配置することができ、前記湖、川又は海の底による十分な支持を受けられるように前記湖、川又は海の底に置くことができる、穴あけ機と、前記穴あけ機へ動力を供給すると共に前記穴あけ機を制御する１本又はそれ以上のフレキシブルなアンビリカルによって、前記１つ又はそれ以上の穴あけ機構を前記水上支持船から遠隔操作する手段と、所要の穴あけ作業に続いて前記穴あけ機を前記水上支持船により回収し、前記、湖、川又は海の底から直立する前記１本又はそれ以上の基礎支柱又はパイルを残すことを可能にする手段とを含むことを特徴とする。
【手続補正６】
【補正対象書類名】明細書
【補正対象項目名】００１２
【補正方法】変更
【補正の内容】
【００１２】
好適には、前記穴あけ機は、その穴あけ機構が前記支持面に垂直穴を作ることができるように前記穴あけ機を水平にするように、前記穴あけ機の作業位置を前記支持面に対して位置調節可能とする、テレスコピックレッグ又は関節部材を有する。
【手続補正７】
【補正対象書類名】明細書
【補正対象項目名】００１３
【補正方法】変更
【補正の内容】
【００１３】
必要に応じて、前記穴あけ機は位置調節アクチュエータ、例えば、液圧シリンダ、空気圧シリンダ、バッグ、ブラダー又は同種の手段を有することができる。
【手続補正８】
【補正対象書類名】明細書
【補正対象項目名】００１４
【補正方法】変更
【補正の内容】
【００１４】
好適な構成において、設置しようとする前記基礎支柱又はパイルは円筒形であって、その下方又は足端に岩又は土カッタを有し、この基礎支柱又はパイルがその長手方向軸線を中心に回転することにより、当該基礎支柱又はパイルが回転ドリルとして有効に働き、また、前記穴あけ機が穴あけ作業を行うために前記基礎支柱又はパイルを回転させる手段を有する。
【手続補正９】
【補正対象書類名】明細書
【補正対象項目名】００１５
【補正方法】変更
【補正の内容】
【００１５】
他の好適な構成において、前記穴あけ機は前記穴あけ機を全体として移動させることなしに、その前記穴あけ機構を現在の穴あけ作業の位置から次に続く穴あけ作業の位置へ位置スライドさせることができるようにする手段を有し、これにより、前記穴あけ機の全体を移動させることなしに、前記基礎支柱又はパイルの予め決めた配列を確立することができる。
【手続補正１０】
【補正対象書類名】明細書
【補正対象項目名】００１６
【補正方法】変更
【補正の内容】
【００１６】
更に他の好適な構成において、前記穴あけ機は前記水上支持船に回収可能であり、この穴あけ機に他の基礎支柱又はパイルを装備して該穴あけ機の異なる位置へ戻すことができ、これにより、前記穴あけ機の全体を移動させることなしに、複数本の基礎支柱又はパイルを予め決めた配列で設置できる。